(57)【要約】      （修正有）【課題】病気または高年齢などにより、糞をトイレで自力で排泄することが困難な人に対し、対策として、おむつを使用し、おむつに排泄した糞を人力で処理、廃棄していた。高齢者の増加とともに、その為の介護に要する労力、費用は深刻な社会問題となっている。【解決手段】人体の糞を、おむつを使わずに体外に排泄するために、肛門から、先端は細くその他の部分は肛門に挿入できる程度に太くなった挿入部１を備え、肛門に挿入後は挿入部１全体を一様の太さに先端を拡大し、外部に設置した空気の吸引器から挿入部１の空気を吸引することで肛門付近および直腸に存在する糞を体外に排泄することを目的とする人体の糞の吸引器を提供する。【選択図】図１
2015136407.tif 000002
【特許請求の範囲】
【請求項１】
人体の肛門に挿入する挿入部を持ち、その挿入部は中空でありその一方から別途設けた空気吸引器により、空気を吸引することを特徴とする人体の糞の吸引器
【請求項２】
請求項1に記載した人体の糞の吸引器において、挿入部より排泄される糞を空気と糞に分離する部分を持ち、その部分の一方は重力により糞が下方に分離され、その先には、その分離された糞を溜める糞溜め袋を持ち、この糞溜め袋は空気が漏れないように気密性を持ち、その部分の他方は請求項1に記載の空気吸引器に接続することを特徴とする人体の糞の吸引器
【請求項３】
請求項1に記載した人体の糞の吸引器において、挿入部は先端が細い形状から挿入部の中央部と同等にまで太さを変化するように、挿入部の内部に挿入部よりも僅かに細い形状の中空の円筒を外部から操作できる構造とすることを特徴とする人体の糞の吸引器
【請求項４】
請求項3に記載した人体の糞の吸引器において、挿入部と挿入部よりも僅かに細い形状の中空の円筒の間に、プラスチック等の円筒を設けることを特徴とする人体の糞の吸引器
【発明の詳細な説明】
【技術分野】
【０００１】
この発明は、病気または高年齢などにより、寝たきりになり自力で糞を排泄するのが困難な人に対し、外部から強制的に糞を吸引することにより、排泄するための人体の糞の吸引器に関するものである。
【背景技術】
【０００２】
従来、病気または高年齢などにより、自力で糞を排泄するのが困難な人に対してはおむつなどを用い、肛門から排泄された状態の糞を人力で処理するのが当然と考えられ、このために介護の相当な労力、費用が費やされてきた。
【発明の開示】
【発明が解決しようとする課題】
【０００３】
このためには次の様な欠点があった。
1   嫌な臭いを発するため、周囲の人達全てを不快な気分にさせる。
2   何時糞を排泄するかわからず、排泄するたびに世話をする必要がある。
3   何らかの原因で、便秘になると最悪は人手により掻き出す必要がある。
4   これらを少しでも解決、軽減するためおむつを使用する。
本発明は、以上の様な欠点をなくするためになされたものである。
【課題を解決するための手段】
【０００４】
人体の肛門に糞を排出するのに必要かつ十分な大きさの筒を持ち、かつ肛門に挿入するときは、先端が十分に細くなる様な構造を持つ挿入部を肛門に挿入し、肛門内で先端を開いて、糞を通りやすくする。この状態で、外部から空気を程よく吸引する。
これにより、直腸内部の糞は外部に排泄される。
排泄した空気は糞が含まれるので、空気と糞とに分離し、糞は廃棄する。
本発明は以上の様な機能を有する人体の糞の吸引器である。
【発明の効果】
【０００５】
1   おむつを使わずに直接肛門から糞を吸引することにより、介護人および、本人の苦痛を大幅に軽減させる。
2   そのために、定期的または随時的に、本発明品を使用することにより、おむつが無くても糞が漏れることが無くなることが期待される。
3   本発明品を肛門に挿入するために先端を十分に細くする。
4   肛門および直腸に必要な長さを挿入したあとで、先端を開いて全体が同じ太さの筒
状にする。
5   外部から空気を程よく吸引する。
6   肛門付近に滞留している糞を外部に空気と一緒に排泄する。
7   糞と空気を分離し、糞を糞溜め袋にいれて廃棄処理する。
8   肛門付近の糞が排泄されたので、人体の糞の吸引器を引き抜き、後始末をして作業
を終了する。
【発明を実施するための最良の形態】
【０００６】
これらの作業を実施するための本発明について、図面を用いて説明する。
図1は、本発明品の模式図であり、肛門に挿入する部分を左に見て、横方向から見た図である。
1は、肛門に挿入する円筒状の挿入部であり、その先端は、肛門14に挿入するために、十分に細くなっている。また1の円筒部分は、肛門14に挿入することができる太さであり、かつ糞が中を通過するための中空となっている。更に表面は人体に対して優しく、肛門14等の内面を傷つけることなく、伸縮性にも富んでいなければならない。更にその長さは、肛門付近の糞15を外部に排泄するために必要な長さを確保する。
2は、本発明品の筐体であり、人が操作する場合に、手で持って保持すると同時に、内部の部品を固定するために使用される。
3は、排泄された糞15が分離されて、糞溜め袋6に収納するために移動する移動筒である。
4は、肛門14に挿入するときに先端が細くなっているものを挿入後に挿入部1の中央付近と同じ太さに広げる動作（後述）をするためのノブである。
5は、別途外部に用意した空気の吸引器に接続するための吸引用筒である。
空気の吸引は、吸引力、空気量、時間等を慎重に設定し、糞5は排泄するが肛門14、直腸16、更にはそれらに接続されている他の臓器に悪影響を及ぼさないようにすることが重要である。
6は、排泄されて移動筒3を移動してきた糞を一時的に貯めておく糞溜め袋である。これは、吸引用筒5から空気を吸引した場合に、挿入部1からのみ空気が吸引され、その他からの漏れが無いようにすることが必要である。そのために気密性を持たせると同時に、排泄される糞15を溜めるのに十分な容積を持つ必要がある。排泄の動作が終了すると、糞溜め袋6を筐体2から外して、廃棄処分する。従って、材質は廃棄に適したものを使う。
図2は、本発明品の断面図であり、内部の構造を説明する。
1の挿入部は、図1で説明したように、伸縮性の良いゴム等の材質で表面が覆われ、肛門14、及び直腸16が傷つかないようになっている。更に、挿入部1はその内部が図2に示すように、拡大筒8と緩衝材7からなっている。緩衝材7は挿入部1の表面部材と一体化されており、その先端は、図3、図4及び図5に示すように、挿入部1の先端16にギザギザが近接する方向に設置する。また、緩衝材7は、筐体2と固定されている。この状態では緩衝材7の先端近くは、緩衝材7の面積が減少しており、挿入部1の表面部材の伸縮性によって、先端に行くほど、細くなる。その程度は、緩衝材7の硬さと緩衝材7の
内部に、拡大筒8が有るか無いかによって決まる。拡大筒8は、この緩衝材7の内部を移動し、挿入部1が肛門14に挿入されたあとは、拡大筒8が挿入部1の先端まで移動し、
図5に示すように、挿入部1の先端16が拡大し、挿入部1の中央付近と同等になる。
2は、筐体であり手で保持する部分であるため、丈夫さが求められる。
3は、挿入部1から送られてきた糞15と空気を分離し、糞15のみを重力によって糞溜め袋6に送り出すための移動筒である。
5は、移動筒3とは別の,空気のみを外部に吸引するための吸引用筒である。
8は、挿入部1の先端を開くために挿入部1の内部に設けられた拡大筒である。
緩衝材7は、上記説明のように、挿入部1の内部に支える力が有るか無いかによって挿入部1の太さが変化する。即ち拡大筒8が挿入部1の先端に近くなるに従って、挿入部1の先端は拡大し、図５に示すようになる。
糞15と空気の分離部11と拡大筒8の接続部9は、拡大筒8が移動する分だけ伸縮自在なアコーデオン筒10で接続する。拡大筒8とアコーデオン筒10の接続部は9である。
図3は、上記説明の緩衝材7である。先端がギザギザになっているのは、外側の挿入部1のゴム等の外皮が急激に細くならないためである。緩衝材7はプラスチック等の滑らかで、ある程度の折り曲げ強さを持つことが必要である。
図4は、人体の肛門14から本発明品の挿入部１を挿入した状態を表す模式図である。この時、挿入部1は糞15を排泄するのに十分にして必要な長さが必要である。また、拡大筒8は直腸16内で、先端がむき出しになるので、直腸16の内部を傷つけないように、挿入部1の先端17のゴム等で拡大筒8の先端部をカバーするように図5のような構造とする。即ち挿入部1の外皮のゴム等の先端17は内側に少し肉厚になって拡大筒8の先端をカバーする。これにより、直腸16の内面を傷つける事がなくなる。
図5は挿入部1の先端の構造を示す図である。肛門14に挿入され、拡大筒8が先端まで移動し、先端16が拡大して挿入部1の中央付近と同等になっている。破線18はこれに続く部分は省略することを示す。
【図面の簡単な説明】
【０００７】
【図１】本発明品の模式図
【図２】本発明品の内部の構造を示す模式図
【図３】挿入部内部の緩衝材
【図４】本発明品と肛門の関係を示す模式図
【図５】挿入部の先端の状態を示す模式図
【符号の説明】
【０００８】
1  挿入部
2  筐体
3  移動筒
4  ノブ
5  吸引用筒
6  糞溜め袋
7  緩衝材
8  拡大筒
9  接続部9
10  ジャバラ筒
11  分離部
12  接続部12
13  接続部13
14  肛門
15  糞
16  直腸
17  挿入部先端
18  省略を示す破線
【図１】
2015136407.tif 000003
【図２】
2015136407.tif 000004
【図３】
2015136407.tif 000005
【図４】
2015136407.tif 000006
【図５】
2015136407.tif 000007